(57)【要約】【課題】水溶液の種類を容易に判別でき、かつ水溶液の種類が多くなっても容易に準備することができる水溶液入り容器を提供する。【解決手段】香水入り容器１は、香水２および鑑賞用石３と、香水２および鑑賞用石３が格納される水溶液用容器４とを備えている。香水入り容器１は、香水２と、水溶液用容器４の開口部４１１ａに取り付けた噴霧器４２と、この噴霧器４２に被せる蓋部４３と、鑑賞用石３とは、同じ色相である。また、香水入り容器１は、同形状の水溶液用容器４を備えた異なる種類の他の香水入り容器と区別するために、異なる種類の香水２が格納された他の水溶液入り容器の蓋部４３および鑑賞用石３と、異なる色相としている。【選択図】図１
2016022993.tif 000002
【特許請求の範囲】
【請求項１】
水溶液および鑑賞用石と、前記水溶液および前記鑑賞用石が格納される水溶液用容器とを備え、
前記水溶液用容器の開口部に被せる蓋部と、前記鑑賞用石とは、同じ色相であり、異なる種類の水溶液が格納された他の水溶液入り容器の蓋部および鑑賞用石と、異なる色相とした水溶液入り容器。
【請求項２】
前記水溶液は、前記蓋部および前記鑑賞用石と、同じ色相である請求項１記載の水溶液入り容器。
【請求項３】
前記蓋部は、金属光沢を有している請求項１または２記載の水溶液入り容器。
【請求項４】
前記鑑賞用石には、白色または透明のいずれか一方または両方の石が混合されている請求項１から３記載のいずれかの項に記載の水溶液入り容器。
【請求項５】
前記水溶液用容器は、前記水溶液を吸い上げる取水管を備え、
前記取水管は、透明部材または半透明部材により形成されている請求項１から４のいずれかの項に記載の水溶液入り容器。
【請求項６】
前記水溶液用容器の底部は、幅方向の中央部が高く、端部が低く形成されている請求項１から５のいずれかの項に記載の水溶液入り容器。
【発明の詳細な説明】
【技術分野】
【０００１】
本発明は、水溶液および鑑賞用石が水溶液用容器に格納された水溶液入り容器に関するものである。
【背景技術】
【０００２】
水溶液入り容器は、水溶液として、例えば、芳香剤や脱臭剤、消臭剤などが、水溶液用容器に格納され、玄関や居室に設置されることで、匂いを放散させたり、不快な臭みを取り除いたりして、雰囲気の環境を整えることができる。このような水溶液入り容器として、特許文献１に記載されたものが知られている。
特許文献１に記載の「芳香液入り芳香器」は、芳香液を収容する容器内と、芳香液に浸漬される吸液部材と、吸液部材を介して芳香液が供給され、芳香液を揮散させる揮散体とを備えたものである。この特許文献１に記載の「芳香液入り芳香器」は、揮散体の形状が動物や植物等の形状であると共に、芳香液を収容する容器内に、少なくとも天然石、人工石、ドライフラワー、スターフラワーより選択される１種を含んでいる。
【先行技術文献】
【特許文献】
【０００３】
【特許文献１】実用新案登録第３１６２８０３号公報
【発明の概要】
【発明が解決しようとする課題】
【０００４】
例えば、芳香器を販売する店舗の陳列棚にて、販売者が芳香液の種類が異なる複数の芳香器を並べて陳列する場合や、家庭で使用者が日によって芳香する匂いを変えるために、芳香液の種類が異なる複数の芳香器を棚や机に並べて保管する場合がある。そうした場合に、特許文献１に記載の「芳香液入り芳香器」では、購入者や使用者が「芳香液入り芳香器」から離れた位置にいても、この揮散体の形状を、異なる複数の芳香器に応じて、動物の種類により変更したり、植物の種類により変更したりすれば、購入者や使用者は、異なる複数種類の芳香器のそれぞれを、揮散体の形状によって、容易に識別することができる。
【０００５】
しかし、特許文献１に記載の「芳香液入り芳香器」では、複数種類の芳香器の識別に、動物や植物等を象った揮散体を利用すると、芳香器の種類ごとに異なる種類の揮散体を製造する必要がある。そのため、芳香液の種類が増えれば、益々、動物や植物等を象った揮散体を増やす必要があり、揮散体を製造するための金型の種類が増え、揮散体自体および金型等の管理も煩雑となる。
【０００６】
そこで本発明は、水溶液の種類を容易に判別でき、かつ水溶液の種類が多くなっても容易に準備することができる水溶液入り容器を提供することを目的とする。
【課題を解決するための手段】
【０００７】
本発明の水溶液入り容器は、水溶液および鑑賞用石と、前記水溶液および前記鑑賞用石が格納される水溶液用容器とを備え、前記水溶液用容器の開口部に被せる蓋部と、前記鑑賞用石とは、同じ色相であり、異なる種類の水溶液を備えた他の水溶液入り容器の蓋部および鑑賞用石と、異なる色相としたことを特徴とする。
【０００８】
本発明の水溶液入り容器によれば、異なる種類の他の水溶液入り容器と区別するために、蓋部と鑑賞用石とを同じ色相とし、他の水溶液入り容器の蓋部および鑑賞用石と、異なる色相としたため、使用者が蓋部と鑑賞用石とを見て、同形状の水溶液用容器であっても、使用者は、同じ色相であれば同じ種類であり、異なる色相であれば異なる種類であると、ひと目で認識することができる。蓋部は色相を変更するだけなので容易である。また、鑑賞用石は同じ色相のものを集めて、水溶液用容器に格納すればよいので容易である。
【０００９】
前記水溶液は、前記蓋部および前記鑑賞用石と、同じ色相であることが望ましい。水溶液を蓋部および鑑賞用石と同じ色相とすれば、水溶液用容器の容器本体を通して見える水溶液からでも、水溶液が同じ種類か異なる種類かを判別することができる。
【００１０】
前記蓋部が、金属光沢を有していると、照明の光が反射して、使用者に、より色相を視認させやすくなるので、水溶液の種類の違いを明確に使用者に伝えることができる。
【００１１】
前記鑑賞用石には、白色または透明のいずれか一方または両方の石が混合されていると、色付き石に混合された白色または透明の石が鑑賞用石を嵩上げすることで、使用者に鑑賞用石の色相を視認させやすくすることができる。また、白色または透明の石が光を屈折したり反射したりするので、意匠性を高めることができる。
【００１２】
前記水溶液用容器が、前記水溶液を吸い上げる取水管を備え、前記取水管が、透明部材または半透明部材により形成されていると、取水管が水溶液に浸っていても、取水管の色が目立たないため、鑑賞用石や蓋部、水溶液の色相に与える影響が小さい。
【００１３】
前記水溶液用容器の底部の幅方向の中央部が高く、端部が低く形成されていると、底部の中央部から端部の方向へ下る傾斜面に沿って、鑑賞用石が転がりながら移動するので、鑑賞用石を、容器本体の底部に、平均的に配置することができる。
【発明の効果】
【００１４】
本発明は、同じ色相であれば同じ種類であり、異なる色相であれば異なる種類であると、使用者が、ひと目で認識することができ、蓋部は色相を変更するだけなので容易に作製することができ、また、鑑賞用石は同じ色相のものを集めて、水溶液用容器に格納すればよいので、水溶液の種類を容易に判別でき、かつ水溶液の種類が多くなっても容易に準備することができる。
【図面の簡単な説明】
【００１５】
【図１】本発明の実施の形態に係る香水入り容器を示す斜視図である。
【図２】色相を説明するための色相環を示す図である。
【発明を実施するための形態】
【００１６】
本発明の実施の形態に係る水溶液入り容器を香水入り容器を例に、図面に基づいて説明する。
図１に示す香水入り容器１は、水溶液としての香水２と、鑑賞用石３と、香水２および鑑賞用石３が格納される水溶液用容器４とを備えている。
【００１７】
香水２は、各種の化粧品香料を調合したものである。
香水２は、例えば、花と果物をイメージしたフローラルフルーティーと称される香りの香水（以下、この香水を第１の香水と称す。）、柑橘系の香りと麝香を模した香りとを合わせたシトラスムスクと称される香りの香水（以下、この香水を第２の香水と称す。）、薔薇（ローズ）の香りの香水（以下、この香水を第３の香水と称す。）、森林や葉・草などをイメージした香りの香水（以下、この香水を第４の香水と称す。）、洗い立ての爽やかさをイメージした香りの香水（以下、この香水を第５の香水と称す。）などと、することができる。
【００１８】
鑑賞用石３は、天然石または人工石のいずれか一方、または両方としたものである。
香水２を第１の香水とするときには、香水２が透明度のある紫色に着色されると共に、鑑賞用石３は、アメジスト（紫水晶）、紫色のガーネット（柘榴石）、紫色やピンク色のジルコニアなどの紫系の石とすることできる。
香水２を第２の香水とするときには、香水２が透明度のある黄色に着色されると共に、鑑賞用石３は、シトリン（黄水晶）、トパーズ（黄玉）、水晶、黄色やレモン色のジルコニアなどの黄系の石とすることができる。
香水２を第３の香水とするときには、香水２が透明度のあるピンク色に着色されると共に、鑑賞用石３は、ローズクォーツ（紅水晶）、ルビー（紅玉）、赤色やピンク色のジルコニアなどの赤系の石とすることができる。
香水２を第４の香水とするときには、香水２が透明度のある緑色に着色されると共に、鑑賞用石３は、ペリドット（橄欖石）、エメラルド（緑玉）、緑や黄色、レモン色のジルコニアなどの緑系の石とすることができる。
香水２を第５の香水とするときには、香水２が透明度のある青色に着色されると共に、鑑賞用石３は、青色のアパタイト（燐灰石）、ターコイズ（トルコ石）、アクアマリン（藍柱石）、青色のジルコニアなどの青系の石とすることができる。
【００１９】
鑑賞用石３は、上記のように色付き石とすることができるが、この色付き石に白色または透明のいずれか一方、または両方の石を混合させることができる。例えば、ジルコニアは色付きとする以外に、白色または透明として混合させることができる。
鑑賞用石３は、ブリリアントカットやステップカット、ミックスカットなどのファセットカットとしたり、カポションカットとしたりすることができる。本実施の形態では、色付きジルコニアの他に、透明なジルコニアをカットした状態で混合させている。本実施の形態では、ジルコニアは、キュービックジルコニアとしている。
【００２０】
水溶液用容器４は、容器本体４１と、容器本体４１の開口部に設けられた噴霧器４２と、噴霧器４２に被せる蓋部４３とから構成されている。
【００２１】
容器本体４１は、ガラス容器である。容器本体４１は、香水２の色相に合わせることができるが、透明とするのが、鑑賞用石３が使用者から視認しやすいため望ましい。
容器本体４１は、円筒形状の突起部４１１が略直方体状の上面から突出している。この突起部４１１の頭頂部が、容器本体４１の開口部４１１ａである。突起部４１１には、噴霧器４２が取り付けられている。また、容器本体４１の底部４１２は、幅方向の中央部４１２ａが高く、端部４１２ｂが低く形成されている。
【００２２】
噴霧器４２は、噴霧するときに、押し釦式に押下される操作部４２１と、香水２を吸い上げる取水管４２２とから構成される。取水管４２２は、透明または半透明な樹脂製のチューブから形成されている。
蓋部４３は、噴霧器４２と共に、突起部４１１の開口部に被せるオーバーキャップである。噴霧器４２と蓋部４３とは、その表面加工が同色に加工されている。
【００２３】
噴霧器４２および蓋部４３は、その表面が金属光沢を有している。噴霧器４２と蓋部４３とは、香水２が第１の香水のときには、紫色に形成されている。噴霧器４２と蓋部４３とは、香水２が第２の香水のときには、黄色系に金属光沢を施した金色に形成されている。噴霧器４２と蓋部４３とは、香水２が第３の香水のときには、ピンク色に形成されている。噴霧器４２と蓋部４３とは、香水２が第４の香水のときには、緑色に形成されている。噴霧器４２と蓋部４３とは、香水２が第５の香水のときには、青色に形成されている。
【００２４】
以上のように構成された本発明の実施の形態に係る香水入り容器１（第１から第５の香水入の容器）は、それぞれで区別するために、蓋部４３と鑑賞用石３とを同じ色相としていると共に、それぞれの第１から第５の香水入の容器の蓋部４３および鑑賞用石３と、異なる色相としている。
【００２５】
そのため、使用者が蓋部４３と鑑賞用石３とを見て、同形状の水溶液用容器４であっても、使用者は、同じ色相であれば同じ種類であり、異なる色相であれば異なる種類であると、ひと目で認識することができる。蓋部４３は色相を変更するだけなので容易である。また、鑑賞用石３は同じ色相のものを集めて、水溶液用容器４の開口部４１１ａから投入して、容器本体４１に格納すればよいので容易である。
【００２６】
ここで、同じ色相とは、色相環にて、図２に示すように、扇形の中心角θが３０度以内となる範囲に含まれる場合を指す。この中心角度は、他の種類の香水入り容器１の色相と重ならなければ拡げてもよい。しかし、香水入り容器１と、他の種類の香水入り容器１との区別を大きくしたい場合には、互いの範囲が離れている方が望ましい。
つまり、同じ色相とは、色相環にて、所定の中心角の範囲に含まれる色を指し、異なる色相とは、含まれる範囲が異なることを指す。中心角は、それぞれの種類で同じ角度でもよいし、異なる角度でもよい。
【００２７】
また、香水２が、蓋部４３および鑑賞用石３と、同じ色相としているため、水溶液用容器４の容器本体４１を通して見える香水２からでも、香水２が同じ種類か異なる種類かを判別することができる。
【００２８】
また、鑑賞用石３は、上記のように色付き石とすることができるが、ジルコニアは色付きとする以外に、白色または透明とすることができる。鑑賞用石３の色付き石に、白色または透明の石を混合させることで、鑑賞用石３全体を増量して嵩上げすることで、使用者に鑑賞用石３の色相を視認させやすくすることができる。また、白色または透明の石が光を屈折したり反射したりするので、意匠性を高めることができる。
【００２９】
特に、鑑賞用石３として色付き石に、透明なジルコニアを混合させるときに、ジルコニアにブリリアントカットを施すことで、光の反射が、観察角度によって変わるため、ジルコニアに目が引かれた使用者に、色付き鑑賞用石３の色相を印象付けることができる。
【００３０】
また、蓋部４３が、金属光沢を有しているため、照明の光が反射して、使用者に、より色相を視認させやすくなるので、香水２の種類の違いを明確に使用者に伝えることができる。
また、蓋部４３と噴霧器４２とは同色であるため、蓋部４３を取り、噴霧器４２の操作部４２１が露出した状態でも、同じ印象を使用者に与えることができる。
更に、取水管４２２が透明部材または半透明部材により形成されているため、香水２に浸っていても、取水管４２２の色が目立たないため、鑑賞用石３や蓋部４３、香水２の色相への影響が小さい。特に、取水管４２２が透明であれば、使用者は香水２の中での取水管４２２の存在に気が付か無いため、香水２の中の鑑賞用石３を取水管４２２に邪魔されることなく、自然に鑑賞することができる。
【００３１】
また、香水入り容器１を左右方向に傾斜させると、底部４１２の一方の端部４１２ｂ側に鑑賞用石３が寄る。しかし、香水入り容器１を直立した状態にすると、底部４１２の幅方向の中央部４１２ａが高く、端部４１２ｂが低く形成されているため、底部４１２の中央部４１２ａから端部４１２ｂの方向へ下る傾斜面に沿って、鑑賞用石３が転がりながら移動する。従って、鑑賞用石３が容器本体４１の底部４１２の片方に偏らずに、鑑賞用石３を底部４１２に平均的に配置することができる。
【００３２】
このように、本実施の形態に係る香水入り容器１によれば、ガラス製の透明な容器本体４１に格納された鑑賞用石３を、蓋部４３、噴霧器４２、香水２と統一して、同じ色相としたため、使用者は、ひと目で香水入り容器１の種類を認識することができる。また、蓋部４３は色相を変更するだけなので容易に作製することができる。更に、鑑賞用石３は同じ色相のものを集めて、水溶液用容器４に格納すればよい。
従って、香水入り容器１は、香水２の種類を容易に判別でき、かつ香水２の種類が多くなっても容易に準備することができる。
【００３３】
なお、本実施の形態では、水溶液として香水２を例に説明したが、水溶液は、脱臭剤、消臭剤、芳香剤、香料でもよい。
【産業上の利用可能性】
【００３４】
本発明は、水溶液および鑑賞用石が水溶液用容器に格納された水溶液入り容器に好適である。
【符号の説明】
【００３５】
１  香水入り容器
２  香水
３  鑑賞用石
４  水溶液用容器
４１  容器本体
４１１  突起部
４１１ａ  開口部
４２  噴霧器
４２１  操作部
４２２  取水管
４３  蓋部
θ  中心角
【図１】
2016022993.tif 000003
【図２】
2016022993.tif 000004